(57)【要約】【課題】本発明は、収穫した穀粒の水分率を適宜のタイミングで適切に計測でき、収穫する穀粒の重量を正確に計測できるコンバインを提供することを課題とする。【解決手段】脱穀装置（４）の一番揚穀筒（２６）から排出される穀粒を貯留するグレンタンク（７）に、該グレンタンク（７）の後板（１０）内上部に一番揚穀筒（２６）から放出される穀粒を受ける穀粒受（２８）を設け、該穀粒受（２８）の穀粒を取り込んで水分率を計測する水分計（２９）を、後板（１０）の外側で排出揚穀筒（１６）の側部に取り付けたコンバインとする。また、前記走行車体（１）に設けた枢着部（２５）で側方へオープン可能にした前記グレンタンク（７）の移動側の底部を受ける走行車体（１）の部位に、グレンタンク（７）の重量を計測する重量計測装置（３４）を設ける。【選択図】図４
2016067217.tif 000002
【特許請求の範囲】
【請求項１】
脱穀装置（４）の一番揚穀筒（２６）から排出される穀粒を貯留するグレンタンク（７）に、該グレンタンク（７）の後板（１０）内上部に一番揚穀筒（２６）から放出される穀粒を受ける穀粒受（２８）を設け、該穀粒受（２８）の穀粒を取り込んで水分率を計測する水分計（２９）を、後板（１０）の外側で排出揚穀筒（１６）の側部に取り付けたコンバイン。
【請求項２】
前記グレンタンク（７）内に、高さ方向で複数設ける穀粒センサ（４０ａ〜４０ｄ）がグレンタンク（７）の満杯状態を検出すると、水分計（２９）の穀粒取り込みを停止する請求項１に記載のコンバイン。
【請求項３】
前記走行車体（１）に設けた枢着部（２５）で側方へオープン可能にした前記グレンタンク（７）の移動側の底部を受ける走行車体（１）の部位に、グレンタンク（７）の重量を計測する重量計測装置（３４）を設けた請求項１又は請求項２記載のコンバイン。
【請求項４】
前記重量計測装置（３４）の前記走行車体（１）への取付高さを調整可能とした請求項３に記載のコンバイン。
【発明の詳細な説明】
【技術分野】
【０００１】
本発明は、コンバインに関する。
【背景技術】
【０００２】
コンバインのグレンタンクは、例えば、特許文献１に記載の如く、コンバインの走行機体上に脱穀装置と共に搭載して、収穫する穀粒を一時的に貯留しておいて満杯になるとトラックなどの荷台に搭載する穀粒タンクに移し替えて乾燥機に運搬する。
【０００３】
乾燥機では、穀粒の重量と水分率を計測して、所定の水分率まで乾燥させるのであるが、コンバインで収穫する間に重量と水分率を計測していると、乾燥機での乾燥設定を迅速に行える。
【先行技術文献】
【特許文献】
【０００４】
【特許文献１】特開２０１４−８７２９４号公報
【発明の概要】
【発明が解決しようとする課題】
【０００５】
本発明は、収穫した穀粒の水分率を適宜のタイミングで適切に計測でき、収穫する穀粒の重量を正確に計測できるコンバインを提供するとすることを課題とする。
【課題を解決するための手段】
【０００６】
上記本発明の課題は、次の技術手段により解決される。
請求項１に記載の発明は、脱穀装置（４）の一番揚穀筒（２６）から排出される穀粒を貯留するグレンタンク（７）に、該グレンタンク（７）の後板（１０）内上部に一番揚穀筒（２６）から放出される穀粒を受ける穀粒受（２８）を設け、該穀粒受（２８）の穀粒を取り込んで水分率を計測する水分計（２９）を、後板（１０）の外側で排出揚穀筒（１６）の側部に取り付けたコンバインとする。
【０００７】
請求項２に記載の発明は、前記グレンタンク（７）内に、高さ方向で複数設ける穀粒センサ（４０ａ〜４０ｄ）がグレンタンク（７）の満杯状態を検出すると、水分計（２９）の穀粒取り込みを停止する請求項１に記載のコンバインとする。
【０００８】
請求項３に記載の発明は、前記走行車体（１）に設けた枢着部（２５）で側方へオープン可能にした前記グレンタンク（７）の移動側の底部を受ける走行車体（１）の部位に、グレンタンク（７）の重量を計測する重量計測装置（３４）を設けた請求項１又は請求項２記載のコンバインとする。
【０００９】
請求項４に記載の発明は、前記重量計測装置（３４）の前記走行車体（１）への取付高さを調整可能とした請求項３に記載のコンバインとする。
【発明の効果】
【００１０】
請求項１に記載の発明によれば、一番揚穀筒（２６）からグレンタンク（７）内に放出される穀粒の一部が穀粒受（２８）に受けられて水分計（２９）で穀粒の水分率が計測される。水分計（２９）がグレンタンク（７）の後板（１０）外側に取り付けられているために、容易に取り外してメンテナンス作業を行える。
【００１１】
請求項２に記載の発明によれば、請求項１記載の発明の効果に加えて、グレンタンク（７）が満杯になると水分計（２９）が穀粒の取り込みを停止するので、貯留された穀粒が水分計（２９）に押し込まれて故障することを防止できる。
【００１２】
請求項３に記載の発明によれば、請求項１又は請求項２記載の発明による効果に加えて、グレンタンク（７）内に溜まる穀粒が重量計測装置（３４）で計測されて、収穫した穀粒の重量を正確に計測できるが、この重量計測装置（３４）がグレンタンク（７）のオープンする側の走行車体（１）上にあるために、この重量計測装置（３４）の調整やメンテナンスが容易に行える。
【００１３】
請求項４に記載の発明によれば、請求項３記載の発明の効果に加えて、重量計測装置（３４）を走行車体（１）に取り付ける部分でシムを敷くなどで簡単に高さを調整して正確に重量計測が出来ることになる。
【図面の簡単な説明】
【００１４】
【図１】コンバインの左側面図である。
【図２】コンバインの平面図である。
【図３】中間螺旋翼と排出螺旋翼の係合状態を示す斜視図である。
【図４】グレンタンクの左側面図である。
【図５】グレンタンクの背面図である。
【図６】グレンタンクの一部拡大正断面図である。
【図７】グレンタンクの一部拡大左側面図である。
【図８】グレンタンクと機台の一部拡大正断面図である。
【発明を実施するための形態】
【００１５】
以下、本発明の実施形態を図面に示す実施例を参照しながら説明する。なお、本明細書においてコンバインの前進方向に向かって左右方向をそれぞれ左、右といい、前進方向を前、後進方向を後という。
【００１６】
１は機体フレーム、２は該機体フレーム１の下方位置に設けた走行装置、３は運転席および操作部を有するキャビン、４は脱穀装置、５は該脱穀装置４の後部に設けた排藁を切断するカッタを有する排藁処理装置、６は刈取部である。前記脱穀装置４の側部には、該脱穀装置４により脱穀されて一番揚穀筒２６で送り揚げられた穀粒を貯留するグレンタンク７を、前記脱穀装置４の側部に位置する格納位置と、メンテナンス等のため外側に引き出させるオープン位置との間で水平回動自在に枢着部２５で支持する。グレンタンク７内の底部には、該グレンタンク７内の穀物を機外に排出させる前後方向の穀粒排出装置８を設ける。該穀粒排出装置８は排出螺旋翼９により構成し、図示は省略するが、排出螺旋翼９の前端は前記グレンタンク７の前壁に軸装し、排出螺旋翼９の後端はグレンタンク７の後板１０に設けて機体フレーム１側に固定した接続部材（オーガメタル）１３内に突出させる。
【００１７】
接続部材１３の上部には穀粒揚穀排出装置１５の排出揚穀筒１６の下部を回転自在に取付ける。排出揚穀筒１６の上部には穀物をトラックのタンクに排出する排出オーガ１７の基部を回動自在に取付ける。排出オーガ１７は前記排出揚穀筒１６に対して上下回動自在に取付ける。前記排出筒１１は接続部材１３に対して回動し、前記排出螺旋翼９の回転軸２０は前記接続部材１３内に設けた中間横螺旋翼２１の回転軸２２と継脱自在に構成する。即ち、排出螺旋翼９は、接続部材１３に対して回動させると中間横螺旋翼２１から外れて、接続部材１３をオープンしてメンテナンス可能にし、元に戻すと中間横螺旋翼２１と接続して共に回転するようにする。一例を図３に示すと、２３は前記回転軸２２に設けた軸心方向に突出する突起、２４は前記回転軸２０に設けた放射方向に突出する係合ピンであり、突起２３と係合ピン２４の係合により回転が伝達される。
【００１８】
グレンタンク７は、機体フレーム１に枢着部２５で支持され、側方へオープン可能である。
図４と図５は、グレンタンク７を示し、左前上側部に設ける穀粒供給口２７へ脱穀装置４の一番揚穀筒２６から穀粒が内部へ供給されて貯留される。
【００１９】
グレンタンク７の後板１０内側に穀粒受２８を設けて、左側板に設けた穀粒供給口２７から一番揚穀筒２６でグレンタンク７内へ跳ね出される穀粒の一部を受ける。穀粒受２８の下部に後板１０の外側に取り付ける水分計２９の穀粒取り込みスクリュー２９ａを内部へ突出させて、穀粒を水分計２９に取り込んで水分率を計測して記録する。
【００２０】
水分計２９の取付位置は、グレンタンク７の後板１０上部外側で排出揚穀筒１６の左側としているので、取り外してメンテナンスを行い易い。
また、グレンタンク７の左右側板の片側には、内側に穀粒の溜まり具合を検出する複数の穀粒センサ４０ａ〜４０ｄを設けて、満杯になると水分計２９のスクリュー２９ａを停止して穀粒の取り込みを停止して水分率の計測を行わない。
【００２１】
グレンタンク７の前下端部３０は、枢着部２５で側方から機体フレーム１上へ回動するグレンタンク７の底部を受け、ガイドプレート３１で機体フレーム１に少し載り揚げて載置し、グレンタンク７に設ける固定ロッド３５が機体フレーム１の固定具３６に係合して固定される。
【００２２】
グレンタンク７の底部には載置プレート３２を取り付け、この載置プレート３２の下側となる機体フレーム１側に受台３３をボルトで取り付けている。この受台３３には重量計測装置（ロードセル）３４をその受圧部を上に突出させて取り付けてグレンタンク７に貯留される穀粒の重量を計測する。
【００２３】
機体フレーム１と受台３３の間にはシムを敷いてロードセル３４がグレンタンク７の重量を正確に計測するようにその受圧部の高さを調整する。
また、載置プレート３２はボルトなどでグレンタンク７の底部に取り換え可能に取り付けて、ロードセル３４との摩耗で傷つくと交換できるようにしている。
【符号の説明】
【００２４】
１  走行車体
４  脱穀装置
７  グレンタンク
１０  後板
１６  排出揚穀筒
２５  枢着部
２６  一番揚穀筒
２８  穀粒受
２９  水分計
３４  重量計測装置（ロードセル）
４０ａ〜４０ｄ  穀粒センサ
【図１】
2016067217.tif 000003
【図２】
2016067217.tif 000004
【図３】
2016067217.tif 000005
【図４】
2016067217.tif 000006
【図５】
2016067217.tif 000007
【図６】
2016067217.tif 000008
【図７】
2016067217.tif 000009
【図８】
2016067217.tif 000010